(57)【要約】【課題】遊技機の前面において、球皿が占める領域を小さくすることができる遊技機における球皿を提供すること。【解決手段】パチンコ遊技機における球皿４は、前面パネル３に形成した球払出口３１から払い出された遊技球９を受けて貯留するよう構成されている。球皿４は、前面パネル３の前方において遊技球９を貯留する球貯留部５と、球貯留部５から左右方向Ｗの一方に向けて遊技球９を流下させる第１通路部６１と、第１通路部６１に連結され、左右方向Ｗの他方に向けて遊技球９を流下させる第２通路部６２とを有している。第１通路部６１は、複数列で流下する遊技球９を１列に整流させる整流部６１１を有しており、第２通路部６２は、１列に整流した状態を維持して遊技球９を流下させるよう構成されている。【選択図】図２
2006204413.tif 000002
【特許請求の範囲】
【請求項１】
遊技機における球皿において、
該球皿は、遊技球を貯留する球貯留部と、該球貯留部から上記遊技機の左右方向の一方に向けて遊技球を流下させる第１通路部と、該第１通路部に連結され、上記左右方向の他方に向けて遊技球を流下させる第２通路部とを有しており、
上記第１通路部は、複数列で流下する遊技球を１列に整流させる整流部を有しており、上記第２通路部は、上記１列に整流した状態を維持して遊技球を流下させるよう構成してあることを特徴とする遊技機における球皿。
【請求項２】
請求項１において、上記第１通路部と上記第２通路部とは、上記遊技機の前後方向に並べて形成してあり、上記第２通路部は、上記第１通路部の後方に形成してあることを特徴とする遊技機における球皿。
【請求項３】
請求項１又は２において、上記第１通路部及び上記第２通路部は、上記球皿の前面側に形成してあることを特徴とする遊技機における球皿。
【請求項４】
遊技機における球皿において、
該球皿は、遊技球を貯留する球貯留部と、該球貯留部から上記遊技機の左右方向の一方に向けて遊技球を流下させる第１通路部と、該第１通路部に連結され、上記左右方向の他方に向けて遊技球を流下させる第２通路部とを有しており、
上記第１通路部は、上記球皿の後面側に形成してあり、上記第２通路部は、上記球皿の前面側に形成してあることを特徴とする遊技機における球皿。
【請求項５】
請求項４において、上記第２通路部は、複数列で流下する遊技球を１列に整流させる整流部を有していることを特徴とする遊技機における球皿。
【請求項６】
請求項１〜５のいずれか一項において、上記第２通路部は、上記遊技機における発射装置に遊技球を導くよう構成してあることを特徴とする遊技機における球皿。
【発明の詳細な説明】
【技術分野】
【０００１】
本発明は、遊技機において遊技球を貯留する球皿に関する。
【背景技術】
【０００２】
パチンコ遊技機等の遊技機は、遊技球を貯留する球皿、入賞に応じて所定数の遊技球を球皿へ払い出す払出装置、球皿から供給された遊技球を遊技盤の遊技領域に向けて発射させる発射装置等を有して構成されている。
そして、発射装置から発射された遊技球が、遊技盤に形成された入賞口等に入賞すると、払出装置が、所定数の遊技球を前面パネルに形成した球払出口から球皿へ払い出す。
【０００３】
上記球皿は、遊技者からの支払いに応じて貸し出された遊技球、及び上記球払出口から払い出された遊技球を受ける球貯留部を有している。また、球皿は、球貯留部における遊技球を発射装置へ供給する発射球供給部を有している。例えば、特許文献１においては、受皿（球皿）の左側の領域に貸球受け部（貸球領域）を形成し、受皿の右側の領域に賞球受け部（賞球領域）を形成している。そして、賞球受け部には、打球ハンマー（発射装置）へ遊技球を供給するレール供給部を形成している。
【０００４】
ところで、遊技機の開発において、設計の自由度を増やすために、遊技機の前面において球皿が占める領域を小さくしたい要請がある。しかしながら、上記従来の球皿においては、遊技機の前面において球皿が占める領域を小さくする工夫はなされていない。
【０００５】
【特許文献１】特開２００３−２９０５２６号公報
【発明の開示】
【発明が解決しようとする課題】
【０００６】
本発明は、かかる従来の問題点に鑑みてなされたもので、遊技機の前面において、球皿が占める領域を小さくすることができる遊技機における球皿を提供しようとするものである。
【課題を解決するための手段】
【０００７】
第１の発明は、遊技機における球皿において、
該球皿は、遊技球を貯留する球貯留部と、該球貯留部から上記遊技機の左右方向の一方に向けて遊技球を流下させる第１通路部と、該第１通路部に連結され、上記左右方向の他方に向けて遊技球を流下させる第２通路部とを有しており、
上記第１通路部は、複数列で流下する遊技球を１列に整流させる整流部を有しており、上記第２通路部は、上記１列に整流した状態を維持して遊技球を流下させるよう構成してあることを特徴とする遊技機における球皿にある（請求項１）。
【０００８】
本発明の遊技機における球皿は、上記第１通路部及び第２通路部に工夫を行っている。
遊技者が遊技を行う際に、遊技球は、球皿の上記球貯留部に受けられ貯留される。次いで、この球貯留部に貯留された遊技球は、第１通路部を左右方向の一方に向けて流下し、この第１通路部の途中において上記整流部によって１列状態の流れに整流される。そして、上記遊技球は、第２通路部において流れの向きが折り返され、左右方向の他方に向けて１列に整流された状態のまま流下する。
【０００９】
こうして、第１通路部と第２通路部とにより遊技球を折り返し流下させ、かつ第１通路部において遊技球の流れを１列状態にしていることにより、遊技機の左右方向における球皿の寸法を小さくすることができる。
それ故、本発明の遊技機における球皿によれば、遊技機の前面において、球皿が占める領域を小さくすることができる。
【００１０】
第２の発明は、遊技機における球皿において、
該球皿は、遊技球を貯留する球貯留部と、該球貯留部から上記遊技機の左右方向の一方に向けて遊技球を流下させる第１通路部と、該第１通路部に連結され、上記左右方向の他方に向けて遊技球を流下させる第２通路部とを有しており、
上記第１通路部は、上記球皿の後面側に形成してあり、上記第２通路部は、上記球皿の前面側に形成してあることを特徴とする遊技機における球皿にある（請求項４）。
【００１１】
本発明の遊技機における球皿も、上記第１通路部及び第２通路部に工夫を行っている。
遊技者が遊技を行う際に、遊技球は、球皿の上記球貯留部に受けられ貯留される。次いで、この球貯留部に貯留された遊技球は、球皿の後面側において第１通路部を左右方向の一方に向けて流下する。そして、上記遊技球は、第２通路部において流れの向きが折り返され、球皿の前面側において左右方向の他方に向けて１列に整流された状態のまま流下する。
【００１２】
こうして、第１通路部を球皿の後面側に形成したことにより、遊技機の前面側における球皿の前後方向の寸法を小さくすることができる。
それ故、本発明の遊技機における球皿によっても、遊技機の前面において、球皿が占める領域を小さくすることができる。
【発明を実施するための最良の形態】
【００１３】
上述した第１、第２の発明における好ましい実施の形態につき説明する。
上記第１、第２の発明において、上記遊技機としては、例えば、パチンコ遊技機、アレンジボール遊技機、遊技球を遊技媒体として使用するスロットマシーン等がある。
また、上記整流部による遊技球の整流は、第１通路部又は第２通路部の幅を、遊技球の直径の２倍以上から、遊技球の直径以上であってこの直径の２倍未満に変化させることにより、実現することができる。
【００１４】
また、上記第１通路部及び第２通路部は、遊技機の左右方向に向けて形成すると共に、遊技機の上下方向に傾斜して形成することができる。また、第１通路部及び第２通路部は、遊技機の前後方向に若干傾斜した状態で、遊技機の左右方向に向けて形成することもできる。さらに、第１通路部及び第２通路部は、遊技機の左右方向に向けて形成すると共に、各通路部の途中で上下方向及び前後方向の少なくとも一方に傾斜して形成することもできる。
【００１５】
また、第２通路部は、遊技球を１段積みの状態で１球ずつ流下させるよう構成することができる。また、第２通路部は、２段積みの状態で流下する遊技球の流れを、１段積みの状態で流下する遊技球の流れに変化させるよう構成することもできる。
【００１６】
上記第１の発明において、上記第１通路部と上記第２通路部とは、上記遊技機の前後方向に並べて形成し、上記第２通路部は、上記第１通路部の後方に形成することが好ましい（請求項２）。この場合には、第１通路部及び第２通路部の形成を容易にすることができる。
なお、上記第２通路部は、上記第１通路部の前方に形成することもできる。また、第１通路部と第２通路部とは、遊技機の上下方向に並べて形成し、第２通路部は、第１通路部の下方に形成することもできる。
また、上記第１通路部及び上記第２通路部は、上記球皿の前面側に形成することが好ましい（請求項３）。この場合には、第１通路部及び第２通路部の形成を一層容易にすることができる。
【００１７】
また、上記第２の発明において、上記第２通路部は、複数列で流下する遊技球を１列に整流させる整流部を有していることが好ましい（請求項５）。
ところで、複数列で流下する遊技球の流れを１列で流下する遊技球の流れに変化させるときには、この変化させる部分において球詰まりが発生しやすい状況が形成される。
そして、遊技機の後面側（球皿の後面側）に形成された第１通路部においては、遊技機の前面から視認することが困難であり、球詰まりが発生したときにそれを解消することが困難である。
【００１８】
これに対し、上記整流部を、遊技機の前面側（球皿の前面側）に形成された第２通路部に形成することにより、第１通路部において球詰まりが発生することを防止することができる。そして、第２通路部は、遊技機の前面から視認できるよう構成することにより、第２通路部の整流部において、万が一、球詰まりが発生した場合においても、この球詰まりを容易に解消することができる。
【００１９】
また、上記第１、第２の発明において、上記第２通路部は、上記遊技機における発射装置に遊技球を導くよう構成してあることが好ましい（請求項６）。
この場合には、第２通路部によって１列に整流させた遊技球を、発射装置へ供給することができる。
【００２０】
なお、第１通路部と第２通路部との折り返し構造は、１８０°折り返す構造にすることができる。また、第１通路部と第２通路部との折り返し構造は、９０°以上折り返す構造であれば、例えば１２０°折り返す構造又は１７０°折り返す構造とすることもできる。
また、第１通路部と第２通路部とは、互いに隣り合う構造にすることができる。また、第１通路部と第２通路部とは、所定の間隔をあけて隣り合う構造にすることもできる。
【実施例】
【００２１】
以下に、本発明の遊技機における球皿にかかる実施例につき、図面と共に説明する。
（実施例１）
本例の遊技機はパチンコ遊技機１であり、図１〜図３に示すごとく、このパチンコ遊技機１における球皿４は、前面パネル３に形成した球払出口３１から払い出された遊技球９を受けて貯留するよう構成されている。
この球皿４は、前面パネル３の前方において遊技球９を貯留する球貯留部５と、この球貯留部５に貯留した遊技球９をパチンコ遊技機１の左右方向Ｗに向けて流下させる球通路６とを有している。
【００２２】
上記球通路６は、図２、図３に示すごとく、球貯留部５から左右方向Ｗの一方に向けて遊技球９を流下させる第１通路部６１と、この第１通路部６１に連結され、左右方向Ｗの他方に向けて遊技球９を流下させる第２通路部６２とを有している。
また、第１通路部６１は、複数列で流下する遊技球９を１列に整流させる整流部６１１を有しており、第２通路部６２は、上記１列に整流した状態を維持して遊技球９を流下させるよう構成されている。また、本例の第２通路部６２は、第１通路部６１を流下する遊技球９の流れをＵターンさせるＵターン通路部６３を有しており、Ｕターン通路部６３によって第１通路部６１と第２通路部６２とが連結されている。
【００２３】
以下に、本例のパチンコ遊技機１における球皿４につき詳説する。
図１〜図３に示すごとく、本例の球皿４は、パチンコ遊技機１の前面に配設された前面パネル３と一体的に形成されており、前面パネル３と共に球皿ユニット２を構成している。また、球貯留部５は、前面パネル３の一部と、前面パネル３から前方に向けて突出形成された球貯留底面５１１及び球貯留壁５１２とによって囲まれた領域として形成されている。
なお、図１においては、球貯留部５及び球通路６を構成する部材５０を実線で示し、これらを含む球皿４の全体、及びパチンコ遊技機１におけるその他の構成部材を２点鎖線で示す。
【００２４】
図１に示すごとく、パチンコ遊技機１は、遊技盤１３を配設してなる本体枠１１と、この本体枠１１における遊技盤１３の前方に開閉可能に配設されたガラス扉１２とを有している。球皿４は、本体枠１１の前方であって、ガラス扉１２の下方に配設されている。また、図３に示すごとく、本体枠１１には、入賞に応じて所定数の遊技球９を球皿４へ払い出す払出装置１４、球皿４から供給された遊技球９を遊技盤１３における遊技領域に向けて発射させる発射装置１５等が配設されている。
【００２５】
また、本例の球皿ユニット２（球皿４及び前面パネル３）は、本体枠１１に固定されている。この場合には、球皿ユニット２は、本体枠１１と一体的に、又は別部材として形成することができる。
これに対し、球皿ユニット２は、本体枠１１に対して開閉可能に配設することもできる。この場合には、球皿ユニット２は、本体枠１１に対して別部材として構成することができる。
【００２６】
また、図１〜図３に示すごとく、前面パネル３の前方には、発射装置１５における遊技球９の発射強度を調整するための操作ハンドル２１と、煙草の吸殻を受けるための灰皿２２等が配設されている。
また、払出装置１４と、前面パネル３における上記球払出口３１とは、払出装置１４によって払い出された遊技球９を流下させる球流下通路１７によって接続されている。
【００２７】
本例の球貯留部５は、遊技者からの支払いに応じて貸し出された遊技球９を受ける貸球領域としての機能と、上記球払出口３１から払い出された遊技球９を受ける賞球領域としての機能とを有している。すなわち、本例の球貯留部５は、貸球領域と賞球領域とを区別して有しておらず、賞球領域が貸球領域の機能を兼ね備えるものである。
また、本例の球皿４は、上記発射装置１５と上記賞球領域とをパチンコ遊技機１の左右方向Ｗにおける左側の領域に形成し、上記Ｕターン通路部６３を備えた球通路６によって遊技球９の流れをＵターンさせる構造を有している。
【００２８】
より具体的には、球貯留部５は、球皿４における左側の領域に形成されており、球皿４における残りの右側の領域には、パチンコ遊技機１における各種の機能部品（表示器、スピーカ、貸球用操作スイッチ、遊技用操作スイッチ等）を配設することができる自由空間２０が形成されている。
【００２９】
なお、上記左側の領域とは、パチンコ遊技機１の左右方向Ｗの中心位置よりも左側の領域のことをいい、球貯留部５は、上記中心位置を含め、若干右側の領域を含んでいてもよい。また、本例において、左側又は左方向とは、パチンコ遊技機１の前面から見た左側又は左方向のことをいう。
また、発射装置１５は、パチンコ遊技機１の左右方向Ｗにおける右側の領域又は中央の領域に形成することもできる。また、球貯留部５の賞球領域の形成位置及び球通路６の形成位置についても、左側、右側又は中央のいずれの領域に形成することもできる。
【００３０】
図３に示すごとく、上記発射装置１５は、本体枠１１において、球皿４の後方における左側の領域に配設されている。この発射装置１５は、略垂直方向に向けて遊技球９を発射させる垂直発射タイプのものである。なお、発射装置１５は、この発射装置１５が配設されている右側又は左側の一方の領域から他方の領域に向けて斜め上方に打ち上げるタイプのものでもよい。
また、図１、図２に示すごとく、本例の第２通路部６２と第１通路部６１とは、パチンコ遊技機１の前後方向Ｄに並べて形成されており、いずれも前面パネル３の前方（球皿４の前面側）に形成されている。また、第２通路部６２は、第１通路部６１の後方に形成されている。
【００３１】
そして、第１通路部６１は、球貯留部５からパチンコ遊技機１の右方向に向けて遊技球９が流下するように形成されており、第２通路部６２は、パチンコ遊技機１の左方向に向けて遊技球９が流下するように形成されている。また、Ｕターン通路部６３は、右方向に向けて流下する遊技球９の流れを左方向に向けてＵターンさせる形状を有している。
また、図３に示すごとく、第２通路部６２は、遊技球９を１球ずつ発射装置１５に供給するための整流器１６に接続されている。
【００３２】
また、図１〜図３に示すごとく、第１通路部６１と第２通路部６２との間には、これらの間を仕切る仕切壁６４が形成されている。また、球貯留部５と第２通路部６２との間には、球貯留部５から第２通路部６２へ遊技球９が直接流下してしまうことを防止する流下防止ガイド６５が形成されている。
【００３３】
また、図２に示すごとく、本例の第１通路部６１は、上記仕切壁６４と、上記球貯留壁５１２から延長形成された球通路壁６１２との間に形成されている。また、上記整流部６１１は、仕切壁６４と球通路壁６１２との間の幅を、Ｕターン通路部６３に向けて縮小させることによって形成されている。また、本例の整流部６１１は、仕切壁６４に対する球通路壁６１２の位置を、Ｕターン通路部６３に向けて近づけることにより、遊技球９の流れを１列の流れにするよう構成されている。
【００３４】
また、図３に示すごとく、球貯留部５の球貯留底面５１１及び第１通路部６１の底面は、パチンコ遊技機１における右方向に向けて下がる傾斜面を形成しており、第２通路部６２の底面は、パチンコ遊技機１における左方向に向けて下がる傾斜面を形成している。
また、第１通路部６１の全体の上方と、第２通路部６２の一部の上方とは開放されており、これらの通路部６１、６２を流下する遊技球９をパチンコ遊技機１の前方から視認できるようになっている。
また、上記球払出口３１は、球貯留部５を形成する前面パネル３の一部において、球貯留部５における左側端部の近傍に形成されている。
【００３５】
また、図３に示すごとく、球貯留部５の球貯留底面５１１には、この球貯留部５における遊技球９を排出するための球排出口５２が形成されており、この球排出口５２には、球箱等に遊技球９を排出するための球排出通路５３が接続されている。また、第２通路部６２には、この第２通路部６２を流下する遊技球９を整流器１６に供給せず、上記球排出通路５３へ排出するための発射球排出通路６２５が接続されている。
また、球排出口５２、及び発射球排出通路６２５の入口部には、球皿４に配設された操作スイッチ４５により開閉動作する開閉シャッター（図示略）が配設されている。
【００３６】
次に、上記球皿４における遊技球９の流れにつき説明する。
遊技者がパチンコ遊技を行う際に、貸球装置としてのＣＲユニット等にカード等を差し込み、貸球用操作スイッチを操作したときには、その支払い代金に応じた数の遊技球９が、払出装置１４から払い出されて球貯留部５に供給される。そして、球貯留部５に供給された遊技球９は、第１通路部６１へ流下し、この第１通路部６１からＵターン通路部６３を介して第２通路部６２へと流下する。
【００３７】
また、第１通路部６１を流下する遊技球９は、整流部６１１によって１列の流れに整流され、この１列の流れの状態で第２通路部６２を流下する。次いで、第２通路部６２を流下する遊技球９は、１球ずつ整流器１６によって発射装置１５へ供給される。そして、遊技者の操作ハンドル２１の操作に応じて、発射装置１５が、遊技球９を遊技盤１３における遊技領域に向けて発射させる。
【００３８】
次いで、遊技領域に向けて発射された遊技球９が、遊技領域における入賞口等に入賞すると、払出装置１４は、所定数の遊技球９を球流下通路１７へ払い出す。そして、球流下通路１７内を流下する遊技球９は、前面パネル３に形成された球払出口３１から球貯留部５へと流下する。その後は、上記と同様にして、球貯留部５における遊技球９は、第１通路部６１及び第２通路部６２を流下して、発射装置１５へ供給される。
【００３９】
このように、本例においては、球貯留部５に貸球領域としての機能と賞球領域としての機能とを兼用させ、かつ球通路６における遊技球９の流れをＵターンさせることにより、遊技機の左右方向Ｗにおける球貯留部５及び球通路６の寸法を小さくすることができる。
それ故、本例のパチンコ遊技機１における球皿４によれば、パチンコ遊技機１の前面において、球皿４が占める領域を小さくすることができる。また、球皿４の空いた領域（上記自由空間２０）には、各種の機能部品を配設することができる。
【００４０】
（実施例２）
図４〜図６に示すごとく、本例のパチンコ遊技機１における球皿４は、上記球貯留部５により上皿部５を形成し、この上皿部５の斜め下方に、上皿部５に貯留できなくなった遊技球９を貯留する下皿部７を形成してなるものである。
また、本例の下皿部７は、上記パチンコ遊技機１における右側の領域に形成した上記自由空間２０を利用して形成されている。そして、本例の球皿４は、上皿部５と下皿部７とをパチンコ遊技機１の左右方向Ｗに並べて形成してなる二皿構造を有している。
【００４１】
また、球皿４には、上皿部５から溢れ出した遊技球９を下皿部７に流下させるためのオーバーフロー通路４１が形成されている。本例のオーバーフロー通路４１は、上皿部５の上記球貯留壁５１２における球払出口３１の近傍に位置する部分から、上皿部５の下方を通って下皿部７まで形成されている。
また、下皿部７の底面には、この下皿部７における遊技球９を排出するための球排出口７１が形成されており、球排出口７１には、球箱等に遊技球９を排出するための球排出通路７２が接続されている。
【００４２】
ところで、上皿部と下皿部とを上下方向Ｈに並べて形成してなる二皿構造の球皿においては、遊技者の手で下皿部における遊技球９を掻き出すことができるように、下皿部の上方に所定高さ（例えば８０ｍｍ位の高さ）の作業空間を形成する必要がある。これに対し、本例の球皿４においては、上記自由空間２０を利用して下皿部７を形成することができ、上皿部５と下皿部７とを左右方向Ｗに並べて形成してなる二皿構造の球皿４を形成することができる。
【００４３】
そのため、上記作業空間を意図的に形成することなく、下皿部７の上方を容易に開放することができる。これにより、二皿構造の球皿４を形成する際にも、この球皿４の上下方向Ｈにおける寸法を小さくすることができ、パチンコ遊技機１の前面において、球皿４が占める領域を小さくすることができる。これにより、例えば、パチンコ遊技機１における遊技盤１３の遊技領域を下方に向けて拡大させることができる。
本例においても、その他の構成は上記実施例１と同様であり、上記実施例１と同様の作用効果を得ることができる。
【００４４】
（実施例３）
図７、図８に示すごとく、本例のパチンコ遊技機１における球皿４は、上記第１通路部６１を上記前面パネル３の後方に形成した例である。
すなわち、本例の第１通路部６１は、球皿４の後面側に形成されており、第２通路部６２は、球皿４の前面側に形成されている。より具体的には、本例の第２通路部６２は、前面パネル３の前方に形成されており、本例の第１通路部６１は、前面パネル３を介して第２通路部６２に隣接した状態で球貯留部５から延長形成されている。そして、第１通路部６１の一端は、開口穴６１３として、前面パネル３の前面において、上記球払出口３１に隣接する位置に開口している。
【００４５】
なお、第１通路部６１は、前面パネル３とは別部材として構成することができる。この場合には、第１通路部６１は、本体枠１１に一体的に形成することができ、また、本体枠１１とは別部材として形成し、本体枠１１に組み込む構成として形成することもできる。
【００４６】
また、本例の球貯留部５の底面は、球皿４に対して開閉可能なメンテナンス用扉５４によって構成されている。そして、このメンテナンス用扉５４を開けることによって、球皿ユニット２を上記本体枠１１に固定したままの状態において、球貯留部５によって隠された第２通路部６２の一部を開放することができる。これにより、第２通路部６２の隠れた部分の清掃、メンテナンス等を容易に行うことができる。
【００４７】
また、メンテナンス用扉５４は、上記ガラス扉１２が本体枠１１に対して閉じている状態においては、ガラス扉１２によって開放が規制されるようになっている。
なお、メンテナンス扉５４は、上記実施例１、２又は後述する実施例４、５においても同様に設けることができる。
【００４８】
また、本例においては、複数列で流下する遊技球９を１列に整流させる整流部６２１が、第２通路部６２に形成されている。また、第２通路部６２の上方は開放されており、第２通路部６２を流下する遊技球９は、パチンコ遊技機１の前方から視認できるようになっている。
そして、本例においては、球通路６における遊技球９の流れは、第１通路部６１及びＵターン通路部６３においては複数列の流れを形成し、第２通路部６２の整流部６２１において１列の流れに絞られる。これにより、整流部６２１において、万が一、球詰まりが発生したときでも、この球詰まり状態をパチンコ遊技機１の前方から容易に視認することができ、この球詰まりを容易に解消することができる。
【００４９】
なお、整流部６２１は、第１通路部６１に形成することもできる。この場合には、例えば、第２通路部６２に隣接する前面パネル３の部分を透明部材で形成することにより、第２通路部６２を視認可能にすることができる。また、この場合には、第２通路部６２に隣接する前面パネル３の部分を開閉又は着脱可能な部材で形成することにより、第２通路部６２をメンテナンスできるようにすることもできる。
【００５０】
また、本例においても、図７、図８に示すごとく、球貯留部５により上皿部５を形成し、この上皿部５の斜め下方に、上皿部５に貯留できなくなった遊技球９を貯留する下皿部７を形成することができる。また、上皿部５は、パチンコ遊技機１における左側の領域に形成されており、上記自由空間２０は、パチンコ遊技機１における中央領域及び右側の領域に形成されている。そして、下皿部７は、パチンコ遊技機１における中央領域の自由空間２０を利用して形成されている。
【００５１】
本例においては、第１通路部６１を、前面パネル３の後方に形成したことにより、上記球皿４の前面側における自由空間２０を一層大きく形成することができる。
なお、図示は省略するが、本例の球皿４においても、上記実施例２と同様に、上皿部５から溢れ出した遊技球９を下皿部７に流下させるためのオーバーフロー通路が形成されている。また、本例においては、上記下皿部７を形成せず、上記球貯留部５による一皿構造の球皿４を形成することもできる。
本例においても、その他の構成は上記実施例２と同様であり、上記実施例２と同様の作用効果を得ることができる。
【００５２】
（実施例４）
図９〜図１１に示すごとく、本例のパチンコ遊技機１における球皿４は、上記球貯留部５により上皿部５を形成し、この上皿部５の左右方向Ｗに隣接して、上皿部５に貯留できなくなった遊技球９を貯留する下皿部７を形成してなるものである。
また、上皿部５は、パチンコ遊技機１における左側の領域に形成されており、下皿部７は、パチンコ遊技機１における右側の領域に形成した上記自由空間２０を利用して形成されている。そして、本例の球皿４は、上皿部５と下皿部７とをパチンコ遊技機１の左右方向Ｗに並べて形成してなる二皿構造を有している。
【００５３】
本例においては、前面パネル３の後方において、上記球流下通路１７と上記下皿部７とを接続するオーバーフロー通路１８が形成されている。
また、本例の球流下通路１７は、上記球払出口３１の後方に位置する下流側端部に、遊技球９を１段積みの状態で貯留することができる下流側通路部１７１を形成してなる。そして、オーバーフロー通路１８は、下流側通路部１７１の側壁に開口しており、オーバーフロー通路１８の上流側端部の底面の位置は、下流側通路部１７１の底面の位置よりも、遊技球９の半径よりも高く遊技球９の直径よりも低い位置となっている。
【００５４】
そして、上皿部５に遊技球９が貯留され、この遊技球９が球流下通路１７まで溢れ出したときには、この溢れ出した遊技球９は、オーバーフロー通路１８を通って下皿部７へと流下する。そのため、上皿部５における遊技球９の貯留状態が満タン状態になり、球流下通路１７における下流側通路部１７１にまで１段積みの状態で遊技球９が充填されたときには、球流下通路１７を流下する遊技球９は、上記１段積み状態の遊技球９の上を転がって、下皿部７へとオーバーフローして流下することができる。
【００５５】
そして、遊技者は、上皿部５における遊技球９の数が少なくなったときには、下皿部７における遊技球９を上皿部５に向けて掻き出すことによって、容易に下皿部７から上皿部５に遊技球９を移動させることができる。
また、球皿４には、上記発射装置１５から発射して、上記遊技盤１３における遊技領域に到達しなかった遊技球９（ファール球）を球貯留部５へ返却するファール球通路４２が形成されている。なお、このファール球通路４２は、上記実施例１〜３及び後述する実施例５においても同様に設けることができる。
本例においても、その他の構成は上記実施例２と同様であり、上記実施例２と同様の作用効果を得ることができる。
【００５６】
（実施例５）
本例は、図１２〜図１５に示すごとく、上記前面パネル３の裏側に、上記球貯留部５から溢れ出した遊技球９を貯留する補助貯留部１７２を形成し、この補助貯留部１７２に、球貯留部５の満タン状態を検出する満タン検出部８を配設した例を示す。
補助貯留部１７２は、球貯留部５の後方に上記球払出口３１を介して接続されている。また、満タン検出部８は、球貯留部５における遊技球９の貯留状態が満タン状態になり、補助貯留部１７２まで溢れ出したときに、球貯留部５の満タン状態を検出するよう構成されている。そして、本例のパチンコ遊技機１は、満タン検出部８が満タン状態を検出すると、上記払出装置１４が遊技球９の払出を停止するよう構成されている。
【００５７】
また、本例の球皿ユニット２（球皿４及び前面パネル３）は、上記本体枠１１に対して開閉可能に配設されている。また、本体枠１１に固定した球皿ユニット２は、本体枠１１に対してガラス扉１２が閉じられた状態においては、開けることができなくなっている。
【００５８】
より具体的には、図１３に示すごとく、満タン検出部８は、補助貯留部１７２の一部を形成すると共に補助貯留部１７２内における遊技球９によって押されて回動する押圧レバー８１と、押圧レバー８１を回動させるようスライドするスライド部材８２と、押圧レバー８１によって押されてＯＮ、ＯＦＦ可能な満タン検出スイッチ８３とを有している。また、スライド部材８２は、付勢バネ８２１によって満タン検出スイッチ８３をＯＮさせる方向に付勢されている。
【００５９】
そして、図１３に示すごとく、ガラス扉１２が本体枠１１に閉じられパチンコ遊技が可能な状態においては、ガラス扉１２の裏側周縁部にスライド部材８２が接触している。そして、補助貯留部１７２内に遊技球９が溢れ出していない状態においては、満タン検出スイッチ８３がＯＦＦ状態にあり、払出装置１４は、球流下通路１７へ遊技球９を払い出すことができる状態にある。
【００６０】
次いで、図１４に示すごとく、払出装置１４が球流下通路１７へ遊技球９を払い出し、球貯留部５が満タンになって補助貯留部１７２まで遊技球９が溢れ出すと、この遊技球９によって押圧レバー８１が押されて回動する。このとき、押圧レバー８１の回動によって、満タン検出スイッチ８３がＯＮ状態になり、満タン検出部８が球貯留部５の満タン状態を検出する。これにより、払出装置１４による遊技球９の払出が停止される。
なお、補助貯留部１７２内の遊技球９がなくなると、満タン検出スイッチ８３の検出部８３１に設けられたバネ等の復元力によって、押圧レバー８１が元の位置に復帰する。
【００６１】
また、図１５に示すごとく、メンテナンス等を行うために、ガラス扉１２を本体枠１１に対して開けたときには、ガラス扉１２へのスライド部材８２の接触状態が解除され、スライド部材８２が付勢バネ８２１の付勢力によってスライドする。このとき、スライド部材８２のスライドによって押圧レバー８１が回動し、補助貯留部１７２内に遊技球９が貯留されているかいないかに拘わらず、押圧レバー８１によって満タン検出スイッチ８３がＯＮ状態になる。これにより、ガラス扉１２を開けたときにも、払出装置１４による遊技球９の払出が停止される。
【００６２】
このように、本例のパチンコ遊技機１によれば、ガラス扉１２を本体枠１１に対して開けたときには、払出装置１４による遊技球９の払出が停止される。そのため、ガラス扉１２の開放後、球皿ユニット２を本体枠１１に対して開けて、球皿ユニット２の裏側部等のメンテナンス等を行う際に、球流下通路１７からパチンコ遊技機１の外部へ遊技球９が零れ出してしまうことを容易に防止することができる。
【００６３】
また、仮に、補充貯留部１７２内の遊技球９の貯留状態が崩れて遊技球９による押圧レバー８１への押圧力がなくなってしまったとしても、スライド部材８２によって強制的に満タン検出スイッチ８３がＯＮ状態になっているので、払出装置１４から遊技球９が払い出されることを防止することができる。
【００６４】
なお、本例の補助貯留部１７２及び満タン検出部８の構造は、上記実施例１〜４に適用することもできる。また、実施例１〜４においては、球流下通路１７、オーバーフロー通路等の適宜箇所に、満タン検出部８の構造を配設して、この満タン検出部８の検出信号により払出の停止制御を行うことができる。
本例においても、その他の構成は上記実施例１と同様であり、上記実施例１と同様の作用効果を得ることができる。
【００６５】
また、上記実施例１〜５において、発射装置１５、整流器１６等の球皿４の内部の部品をパチンコ遊技機１の前面側からメンテナンス可能にするために、球皿４のカバーにおける適宜箇所に開閉可能な部材を配設することができる。
【図面の簡単な説明】
【００６６】
【図１】実施例１における、遊技機における球皿を示す斜視図。
【図２】実施例１における、遊技機における球皿を上方から見た状態で示す平面図。
【図３】実施例１における、遊技機における球皿を示す図で、図２におけるＡ−Ａ線矢視断面説明図。
【図４】実施例２における、遊技機における球皿を示す斜視図。
【図５】実施例２における、遊技機における球皿を上方から見た状態で示す平面図。
【図６】実施例２における、遊技機における球皿を示す図で、図５におけるＡ−Ａ線矢視断面説明図。
【図７】実施例３における、遊技機における球皿を示す斜視図。
【図８】実施例３における、遊技機における球皿を上方から見た状態で示す平面図。
【図９】実施例４における、遊技機における球皿を示す斜視図。
【図１０】実施例４における、遊技機における球皿を上方から見た状態で示す平面図。
【図１１】実施例４における、遊技機における球皿を示す図で、図１０におけるＡ−Ａ線矢視断面説明図。
【図１２】実施例５における、遊技機における球皿を示す斜視図。
【図１３】実施例５における、球貯留部の満タン状態を検出していない状態の満タン検出部を示す説明図。
【図１４】実施例５における、球貯留部の満タン状態を検出した状態の満タン検出部を示す説明図。
【図１５】実施例５における、ガラス扉を開け、仮想の満タン状態を検出した満タン検出部を示す説明図。
【符号の説明】
【００６７】
１  パチンコ遊技機
１４  払出装置
１５  発射装置
１７  球流下通路
２  球皿ユニット
２０  自由空間
３  前面パネル
３１  球払出口
４  球皿
５  球貯留部（上皿部）
６  球通路
６１  第１通路部
６１１、６２１  整流部
６２  第２通路部
６３  Ｕターン通路部
７  下皿部
８  満タン検出部
９  遊技球
Ｗ  左右方向
Ｈ  上下方向
Ｄ  前後方向
【図１】
2006204413.tif 000003
【図２】
2006204413.tif 000004
【図３】
2006204413.tif 000005
【図４】
2006204413.tif 000006
【図５】
2006204413.tif 000007
【図６】
2006204413.tif 000008
【図７】
2006204413.tif 000009
【図８】
2006204413.tif 000010
【図９】
2006204413.tif 000011
【図１０】
2006204413.tif 000012
【図１１】
2006204413.tif 000013
【図１２】
2006204413.tif 000014
【図１３】
2006204413.tif 000015
【図１４】
2006204413.tif 000016
【図１５】
2006204413.tif 000017